(57)【特許請求の範囲】
【請求項１】
第１方向を長手方向とし、この第１方向に対して直角である第２方向を幅方向とし、上記第１および上記第２方向のいずれに対しても直角である第３方向を向く搭載面を有する基板と、
上記基板の上記搭載面に支持された複数のＬＥＤチップと、
上記ＬＥＤチップからの光を透過させ、かつ上記ＬＥＤチップを覆うカバーと、
上記第２方向において互いに反対側を向いて平行に離間配置されており、かつ各々が上記第１方向において上記基板よりも長い平面である１対の外側面を有しており、上記基板および上記カバーが取り付けられた放熱部材と、
を備えているとともに、
上記放熱部材は、各々が上記外側面を有する１対の側板と、これらの側板の上記第３方向端部どうしを連結する天板と、を備えており、
上記基板は、上記放熱部材の上記天板の外側に取り付けられており、
上記天板には、上記第３方向において上記基板が取り付けられた側とは反対側に突出し、上記第１方向に延びる梁部が形成されており、
上記複数のＬＥＤチップを点灯させる電力を供給するとともに、上記１対の側板および上記天板に囲まれた空間に収容され、かつ上記梁部に対して取り付けられた電源部を備えていることを特徴とする、ＬＥＤ照明ユニット。
【請求項２】
上記放熱部材の上記天板には、上記基板を収容する基板用凹部が形成されている、請求項１に記載のＬＥＤ照明ユニット。
【請求項３】
上記梁部は、上記天板の上記第２方向中央に位置する、請求項１または２に記載のＬＥＤ照明ユニット。
【請求項４】
上記梁部には、上記電源部を固定するためのねじ穴が形成されている、請求項１に記載のＬＥＤ照明ユニット。
【請求項５】
上記梁部には、上記第１方向に延びており、かつ上記第３方向を深さ方向とする穴加工用溝が形成されており、
上記ねじ穴は、上記穴加工用溝と重なっている、請求項４記載のＬＥＤ照明ユニット。
【請求項６】
上記穴加工用溝は、上記梁部の上記第２方向中央に位置する、請求項５に記載のＬＥＤ照明ユニット。
【請求項７】
上記電源部に接続されており、かつ上記電源部、上記天板、上記梁部、および上記１対の側板に囲まれた空間に少なくともその一部が挿通された電線を備える、請求項１ないし６のいずれかに記載のＬＥＤ照明ユニット。
【請求項８】
上記電線は、アース電線であり、上記放熱部材に導通している、請求項７に記載のＬＥＤ照明ユニット。
【請求項９】
上記各外側面には、上記第１方向に延びる外溝が形成されている、請求項１ないし８のいずれかに記載のＬＥＤ照明ユニット。
【請求項１０】
上記各側板には、上記第２方向内側部分に上記第１方向に延びる内溝が形成されている、請求項１ないし９のいずれかに記載のＬＥＤ照明ユニット。
【請求項１１】
上記カバーは、上記放熱部材の上記１対の外側面と面一である１対の出射側面を有する、請求項１ない１０のいずれかに記載のＬＥＤ照明ユニット。
【請求項１２】
上記カバーは、上記１対の出射側面の上記第３方向端部どうしを連結する出射天面を有する、請求項１１に記載のＬＥＤ照明ユニット。
【請求項１３】
上記出射天面は、上記第１方向および上記第２方向に広がる平面である、請求項１２に記載のＬＥＤ照明ユニット。
【請求項１４】
第１方向を長手方向とし、この第１方向に対して直角である第２方向を幅方向とし、上記第１および上記第２方向のいずれに対しても直角である第３方向を向く搭載面を有する基板と、
上記基板の上記搭載面に支持された複数のＬＥＤチップと、
上記ＬＥＤチップからの光を透過させ、かつ上記ＬＥＤチップを覆うカバーと、
上記第２方向において互いに反対側を向いて平行に離間配置されており、かつ各々が上記第１方向において上記基板よりも長い平面である１対の外側面を有しており、上記基板および上記カバーが取り付けられた放熱部材と、
を備えているとともに、
上記カバーは、上記第３方向を向く出射天面、およびこの出射天面から上記第３方向に向かって突出しており、かつ上記第１方向に延びるレンズ部を有することを特徴とする、ＬＥＤ照明ユニット。
【請求項１５】
上記レンズ部は、上記カバーの上記第２方向中央に位置する、請求項１４に記載のＬＥＤ照明ユニット。
【請求項１６】
上記カバーは、上記ＬＥＤチップからの光を拡散させつつ透過させる材質からなる、請求項１ないし１５のいずれかに記載のＬＥＤ照明ユニット。
【請求項１７】
上記カバーは、透明な材質からなる、請求項１４または１５に記載のＬＥＤ照明ユニット。
【請求項１８】
上記放熱部材の端部に取り付けられているとともに、上記第３方向に突出する係止突起を有する係止片を具備するキャップを備えており、
上記梁部には、上記係止突起と係合する係止穴が形成されている、請求項１ないし１７のいずれかに記載のＬＥＤ照明ユニット。
【請求項１９】
第１方向を長手方向とし、この第１方向に対して直角である第２方向を幅方向とし、上記第１および上記第２方向のいずれに対しても直角である第３方向を向く搭載面を有する基板と、
上記基板の上記搭載面に支持された複数のＬＥＤチップと、
上記ＬＥＤチップからの光を透過させ、かつ上記ＬＥＤチップを覆うカバーと、
上記第２方向において互いに反対側を向いて平行に離間配置されており、かつ各々が上記第１方向において上記基板よりも長い平面である１対の外側面を有しており、上記基板および上記カバーが取り付けられた放熱部材と、
を備えているとともに、
上記放熱部材は、各々が上記外側面を有する１対の側板と、これらの側板の上記第３方向端部どうしを連結する天板と、を備えており、
上記基板は、上記放熱部材の上記天板の外側に取り付けられており、
上記天板には、上記第３方向において上記基板が取り付けられた側とは反対側に突出し、上記第１方向に延びる梁部が形成されており、
上記放熱部材の端部に取り付けられているとともに、上記第３方向に突出する係止突起を有する係止片を具備するキャップを備えており、
上記梁部には、上記係止突起と係合する係止穴が形成されており、
上記キャップは、上記第２方向に離間配置されており、上記第１方向に突出する１対の嵌合片を有しており、
上記１対の嵌合片は、上記放熱部材の上記１対の側板の内側に嵌合されていることを特徴とする、ＬＥＤ照明ユニット。
【請求項２０】
上記第１方向に配列された請求項１ないし１９のいずれかに記載の複数のＬＥＤ照明ユニットを備えることを特徴とする、ＬＥＤ照明装置。
【請求項２１】
上記第３方向を向く天井面と、
上記天井面から上記第３方向に凹んでおり、かつ上記第１方向に延びる設置溝と、
上記設置溝に収容された請求項１ないし１９のいずれかに記載の１以上のＬＥＤ照明ユニットと、を備えることを特徴とする、ＬＥＤ照明システム。
【請求項２２】
上記第３方向を向く天井面と、
上記天井面の上記第２方向端縁にから上記第３方向に凹んでおり、かつ上記天井面の上記第２方向端縁に沿って上記第１方向に延びる設置溝と、
上記設置溝につながり、かつ上記第２方向を向く壁面と、
上記設置溝に収容された請求項１４または１５に記載の１以上のＬＥＤ照明ユニットと、を備えることを特徴とする、ＬＥＤ照明システム。
【請求項２３】
上記第１方向に延びており、上記設置溝のうち上記壁面とは反対側の一部を覆うひさし部を備える、請求項２２に記載のＬＥＤ照明システム。
【請求項２４】
上記カバーは、上記ＬＥＤチップからの光を拡散させつつ透過させる材質からなる、請求項２２または２３に記載のＬＥＤ照明システム。
【請求項２５】
上記カバーは、透明な材質からなる、請求項２２または２３に記載のＬＥＤ照明システム。
【発明の詳細な説明】
【技術分野】
【０００１】
本発明は、複数のＬＥＤチップを備えており、たとえば屋内の床面照明や壁面照明に用いられるＬＥＤ照明ユニット、ＬＥＤ照明装置、およびＬＥＤ照明システムに関する。
【背景技術】
【０００２】
図２８は、従来のＬＥＤ照明装置の一例を断面図で示している（たとえば特許文献１参照）。同図に示されたＬＥＤ照明装置９０は、長矩形状の基板９１と、基板９１上に実装された複数のＬＥＤチップ９２と、基板９１を収容する管９３と、端子９４と、ＬＥＤチップ９２を点灯させるための回路９５とを備えている。基板９１上には複数のＬＥＤチップ９２および端子９４に接続される図示しない配線が形成されている。このＬＥＤ照明装置９０は、端子９４を一般用蛍光灯照明器具のソケットの差込口に嵌合させることにより、複数のＬＥＤチップ９２を発光させることができるように構成されている。ＬＥＤチップ９２は、低消費電力であるとともに長寿命であることから、ＬＥＤ照明装置９０を蛍光ランプの代替として利用すれば、コスト面および環境面において改善が期待できる。なお、一般用蛍光灯照明器具とは、主に屋内の一般照明に広く用いられる照明器具であり、たとえば日本国内においては、商用１００Ｖ電源を用い、ＪＩＳ  Ｃ７６１７に定められた直管形蛍光ランプまたはＪＩＳ  Ｃ７６１８に定められた環形蛍光ランプが取り付けられる照明器具をいう。
【０００３】
しかしながら、従来の蛍光ランプが用いられた照明器具は、その両端に端子９４が存在し、全周方向に光を発することが前提として構成されている。このため、たとえば、複数の蛍光ランプを直列に配した照明器具に複数のＬＥＤ照明装置９０を取り付けると、隣り合うＬＥＤ照明装置９０どうしの間に発光しない暗部が生じてしまう。これを見る者は、見栄えがよくないと感じてしまうことがある。あるいは、壁面の一部を照らしたい場合であっても、ＬＥＤ照明装置９０を用いると照らしたい箇所以外にも光が照射されてしまう。このため、たとえばＬＥＤ照明装置９０の半周分を覆う遮光カバーを設けるといったことが強いられてしまう。
【先行技術文献】
【特許文献】
【０００４】
【特許文献１】実開平６−５４１０３号公報
【発明の概要】
【発明が解決しようとする課題】
【０００５】
本発明は、上記した事情のもとで考え出されたものであって、より見栄えのよいＬＥＤ照明ユニット、ＬＥＤ照明装置、およびＬＥＤ照明システムを提供することを課題としている。
【課題を解決するための手段】
【０００６】
本発明の第１の側面によって提供されるＬＥＤ照明ユニットは、第１方向を長手方向とし、この第１方向に対して直角である第２方向を幅方向とし、上記第１および上記第２方向のいずれに対しても直角である第３方向を向く搭載面を有する基板と、上記基板の上記搭載面に支持された複数のＬＥＤチップと、上記ＬＥＤチップからの光を透過させ、かつ上記ＬＥＤチップを覆うカバーと、上記第２方向において互いに反対側を向いて平行に離間配置されており、かつ各々が上記第１方向において上記基板よりも長い平面である１対の外側面を有しており、上記基板および上記カバーが取り付けられた放熱部材と、を備えていることを特徴としている。
【０００７】
好ましい実施形態においては、上記放熱部材は、各々が上記外側面を有する１対の側板と、これらの側板の上記第３方向端部どうしを連結する天板と、を備えており、上記基板は、上記放熱部材の上記天板の外側に取り付けられている。
【０００８】
好ましい実施形態においては、上記放熱部材の上記天板には、上記基板を収容する基板用凹部が形成されている。
【０００９】
好ましい実施形態においては、上記天板には、上記第３方向において上記基板が取り付けられた側とは反対側に突出し、上記第１方向に延びる梁部が形成されている。
【００１０】
好ましい実施形態においては、上記梁部は、上記天板の上記第２方向中央に位置する。
【００１１】
好ましい実施形態においては、上記複数のＬＥＤチップを点灯させる電力を供給するとともに、上記１対の側板および上記天板に囲まれた空間に収容され、かつ上記梁部に対して取り付けられた電源部を備えている。
【００１２】
好ましい実施形態においては、上記梁部には、上記電源部を固定するためのねじ穴が形成されている。
【００１３】
好ましい実施形態においては、上記梁部には、上記第１方向に延びており、かつ上記第３方向を深さ方向とする穴加工用溝が形成されており、上記ねじ穴は、上記穴加工用溝と重なっている。
【００１４】
好ましい実施形態においては、上記穴加工用溝は、上記梁部の上記第２方向中央に位置する。
【００１５】
好ましい実施形態においては、上記電源部に接続されており、かつ上記電源部、上記天板、上記梁部、および上記１対の側板に囲まれた空間に少なくともその一部が挿通された電線を備える。
【００１６】
好ましい実施形態においては、上記電線は、アース電線であり、上記放熱部材に導通している。
【００１７】
好ましい実施形態においては、上記各外側面には、上記第１方向に延びる外溝が形成されている。
【００１８】
好ましい実施形態においては、上記各側板には、上記第２方向内側部分に上記第１方向に延びる内溝が形成されている。
【００１９】
好ましい実施形態においては、上記カバーは、上記放熱部材の上記１対の外側面と面一である１対の出射側面を有する。
【００２０】
好ましい実施形態においては、上記カバーは、上記１対の出射側面の上記第３方向端部どうしを連結する出射天面を有する。
【００２１】
好ましい実施形態においては、上記出射天面は、上記第１方向および上記第２方向に広がる平面である。
【００２２】
好ましい実施形態においては、上記カバーは、上記第３方向を向く出射天面、およびこの出射天面から上記第３方向に向かって突出しており、かつ上記第１方向に延びるレンズ部を有する。
【００２３】
好ましい実施形態においては、上記レンズ部は、上記カバーの上記第２方向中央に位置する。
【００２４】
好ましい実施形態においては、上記カバーは、上記ＬＥＤチップからの光を拡散させつつ透過させる材質からなる。
【００２５】
好ましい実施形態においては、上記カバーは、透明な材質からなる。
【００２６】
好ましい実施形態においては、上記放熱部材の端部に取り付けられているとともに、上記第３方向に突出する係止突起を有する係止片を具備するキャップを備えており、上記梁部には、上記係止突起と係合する係止穴が形成されている。
【００２７】
好ましい実施形態においては、上記キャップは、上記第２方向に離間配置されており、上記第１方向に突出する１対の嵌合片を有しており、上記１対の嵌合片は、上記放熱部材の上記１対の側板の内側に嵌合されている。
【００２８】
本発明の第２の側面によって提供されるＬＥＤ照明装置は、上記第１方向に配列された本発明の第１の側面によって提供される複数のＬＥＤ照明ユニットを備えることを特徴としている。
【００２９】
本発明の第３の側面によって提供されるＬＥＤ照明システムは、上記第３方向を向く天井面と、上記天井面から上記第３方向に凹んでおり、かつ上記第１方向に延びる設置溝と、上記設置溝に収容された本発明の第１の側面によって提供される１以上のＬＥＤ照明ユニットと、を備えることを特徴としている。
【００３０】
本発明の第４の側面によって提供されるＬＥＤ照明システムは、上記第３方向を向く天井面と、上記天井面の上記第２方向端縁にから上記第３方向に凹んでおり、かつ上記天井面の上記第２方向端縁に沿って上記第１方向に延びる設置溝と、上記設置溝につながり、かつ上記第２方向を向く壁面と、上記設置溝に収容された本発明の第１の側面によって提供される１以上のＬＥＤ照明ユニットと、を備えることを特徴としている。
【００３１】
好ましい実施形態においては、上記第１方向に延びており、上記設置溝のうち上記壁面とは反対側の一部を覆うひさし部を備える。
【００３２】
好ましい実施形態においては、上記カバーは、上記ＬＥＤチップからの光を拡散させつつ透過させる材質からなる。
【００３３】
好ましい実施形態においては、上記カバーは、透明な材質からなる。
【００３４】
このような構成によれば、上記ＬＥＤ照明ユニットは、上記１対の側面に挟まれた上記第１方向に長く延びるスリムな外形となる。これにより、上記ＬＥＤ照明ユニットを点灯させたときには、線状に延びた発光部分がそのほとんどを占めることとなり、見栄えが良い。
【００３５】
本発明のその他の特徴および利点は、添付図面を参照して以下に行う詳細な説明によって、より明らかとなろう。
【図面の簡単な説明】
【００３６】
【図１】本発明の第１実施形態に基づくＬＥＤ照明ユニットを示す斜視図である。
【図２】図１のＬＥＤ照明ユニットを示す要部斜視図である。
【図３】図１のＬＥＤ照明ユニットを示す要部斜視図である。
【図４】図１のＬＥＤ照明ユニットを示す平面図である。
【図５】図１のＬＥＤ照明ユニットを示す側面図である。
【図６】図１のＬＥＤ照明ユニットを示す底面図である。
【図７】図１のＬＥＤ照明ユニットを示す要部正面図である。
【図８】図５のＶＩＩＩ−ＶＩＩＩ線に沿う断面図である。
【図９】図５のＩＸ−ＩＸ線に沿う断面図である。
【図１０】図１のＬＥＤ照明ユニットに用いられるＬＥＤモジュールを示す断面図である。
【図１１】図１のＬＥＤ照明ユニットに用いられる電源基板および電子部品を示す平面図である。
【図１２】図１のＬＥＤ照明ユニットに用いられる電源基板および電子部品を示す底面図である。
【図１３】図１のＬＥＤ照明ユニットに用いられるキャップを示す（Ａ）は平面図、（Ｂ）は正面図、（Ｃ）は側面図である。
【図１４】図１のＬＥＤ照明ユニットに用いられるキャップを示す正面図である。
【図１５】本発明の第１実施形態に基づくＬＥＤ照明装置を示す斜視図である。
【図１６】本発明の第１実施形態に基づくＬＥＤ照明システムを示す斜視図である。
【図１７】本発明の第２実施形態に基づくＬＥＤ照明ユニットを示す斜視図である。
【図１８】図１７のＬＥＤ照明ユニットを示す要部斜視図である。
【図１９】図１７のＬＥＤ照明ユニットを示す平面図である。
【図２０】図１７のＬＥＤ照明ユニットを示す側面図である。
【図２１】図１７のＬＥＤ照明ユニットを示す底面図である。
【図２２】図１７のＬＥＤ照明ユニットを示す正面図である。
【図２３】図２０のＸＸＩＩＩ−ＸＸＩＩＩ線に沿う断面図である。
【図２４】本発明の第２実施形態に基づくＬＥＤ照明装置を示す斜視図である。
【図２５】本発明の第２実施形態に基づくＬＥＤ照明システムを示す斜視図である。
【図２６】本発明の第３実施形態に基づくＬＥＤ照明ユニットを示す断面図である。
【図２７】本発明の第３実施形態に基づくＬＥＤ照明システムを示す斜視図である。
【図２８】従来のＬＥＤ照明装置の一例を示す断面図である。
【発明を実施するための形態】
【００３７】
以下、本発明の好ましい実施の形態につき、図面を参照して具体的に説明する。
【００３８】
図１〜図９は、本発明の第１実施形態に基づくＬＥＤ照明ユニットを示している。本実施形態のＬＥＤ照明ユニット１０１は、基板２００、複数のＬＥＤモジュール３００、放熱部材４００、カバー５００、電源部６００、およびキャップ７００を備えている。なお、図２および図３においては、理解の便宜上キャップ７００を省略している。ＬＥＤ照明ユニット１０１は、全体としてＸ方向に長く延びており、図７に示すようにＸ方向視において矩形状とされている。
【００３９】
基板２００は、たとえばガラスエポキシ樹脂からり、Ｘ方向を長手方向、Ｙ方向を幅方向とする長矩形状である。基板２００は、Ｚ方向を向く搭載面２０１を有している。搭載面２０１には、複数のＬＥＤモジュール３００が搭載されている。
【００４０】
複数のＬＥＤモジュール３００は、Ｘ方向に配列された状態で基板２００の搭載面２０１に搭載されている。本実施形態においては、複数のＬＥＤモジュール３００のピッチは一定である。Ｘ方向において最も端に位置するＬＥＤモジュール３００と基板２００のＸ方向端縁との距離は、上記ピッチの半分あるいはそれ未満とされている。
【００４１】
図１０は、ＬＥＤモジュール３００のＹＺ平面における断面図を示している。本図に示すようにＬＥＤモジュール３００は、１対のリード３０１、ＬＥＤチップ３０３、封止樹脂３０４、およびリフレクタ３０５を備えている。１対のリード３０１は、たとえばＣＵ合金からなり、その一方にＬＥＤチップ３０３が搭載されている。リード３０１のうちＬＥＤチップ３０３が搭載された面と反対側の面は、ＬＥＤモジュール３００を面実装するために用いられる実装端子３０２とされている。ＬＥＤチップ３０３は、ＬＥＤモジュール３００の光源であり、たとえば青色光を発光可能とされている。封止樹脂３０４は、ＬＥＤチップ３０３を保護するためのものである。封止樹脂３０４は、ＬＥＤチップ３０３からの光によって励起されることにより黄色光を発する蛍光物質を含む透光樹脂を用いて形成されている。これにより、ＬＥＤモジュール３００は、白色光を照射することができる。上記蛍光物質としては、黄色光を発するものに代えて、赤色光を発するものと緑色光を発するものとを混合して用いてもよい。リフレクタ３０５はたとえば白色樹脂からなり、ＬＥＤチップ３０３から側方に発された光を上方に反射するためのものである。
【００４２】
図１〜図９に示すように、放熱部材４００は、Ｘ方向に長く延びており、１対の側板４１０、天板４２０、梁部４３０、および１対の係止部４４０を有している。放熱部材４００は、たとえばアルミからなり押し出し成型よって形成される。１対の側板４１０は、それぞれがＸ方向に長く延びる長矩形板状であり、Ｙ方向において平行に離間配置している。各側板４１０は、Ｙ方向外方を向く外側面４１１を有している。各側板４１０および各外側面４１１は、Ｘ方向においてＬＥＤ照明ユニット１０１のほぼ全長にわたる長さとされており、基板２００の長さと同じかこれよりも長い。各外側面４１１には、外溝４１２が形成されている。外溝４１２は、Ｘ方向に延びており、Ｙ方向を深さ方向としている。外溝４１２は、たとえはＬＥＤ照明ユニット１０１を設置するための取り付け金具（図示略）を係止するために用いられる。各側板４１０の内側には、複数の内溝４１３が形成されている。内溝４１３は、Ｘ方向に長く延びており、Ｙ方向を深さ方向としている。内溝４１３は、たとえはＬＥＤ照明ユニット１０１を設置するための取り付け金具（図示略）を係止するため、あるいは、ＬＥＤ照明ユニット１０１の内部を隠すための化粧板（図示略）を固定するために用いられる。
【００４３】
天板４２０は、１対の側板４１０のＺ方向端どうしを連結しており、Ｘ方向に長く延びる長矩形状である。天板４２０には、基板用凹部４２１が形成されている。基板用凹部４２１は、Ｘ方向に長く延びており、天板４２０のＹ方向中央に設けられている。基板用凹部４２１には、基板２００が収容されている。梁部４３０は、天板４２０の基板用凹部４２１が設けられた側とは反対側に設けられている。梁部４３０は、Ｘ方向に長く延びる断面矩形状の部分であり、Ｙ方向において天板４２０の中央に位置している。梁部４３０のＹ方向中央には、穴加工用溝４３１が形成されている。穴加工用溝４３１は、断面Ｖ字状の比較的小さな溝である。穴加工用溝４３１は、梁部４３０に対する穴あけ加工を容易とするために設けられている。
【００４４】
１対の係止部４４０は、天板４２０のＹ方向両端からＺ方向において基板２００を超える位置に設けられている。各係止部４４０は、Ｙ方向内方に延出しており、Ｘ方向に長く延びている。
【００４５】
カバー５００は、ＬＥＤチップ３０３（ＬＥＤモジュール３００）からの光を透過する材質からなり、複数のＬＥＤモジュール３００を覆っている。本実施形態においては、カバー５００は、ＬＥＤチップ３０３（ＬＥＤモジュール３００）からの光を拡散させつつ透過する材質からなる。カバー５００は、１対の出射側面５１０、出射天面５２０、および１対の係止部５４０を有している。カバー５００は、Ｘ方向に長く延びる断面コの字状とされている。１対の出射側面５１０は、Ｘ方向に長く延びており、Ｙ方向において互いに平行に離間配置されている。１対の出射側面５１０は、放熱部材４００の１対の外側面４１１と面一とされている。出射天面５２０は、１対の出射側面５１０のＺ方向端部どうしを繋いでいる。本実施形態においては、出射天面５２０は、Ｚ方向を向く平面とされている。１対の係止部５４０は、１対の出射側面５１０のＺ方向端よりも基板２００側に位置しており、それぞれがＹ方向外方に延びる先端部分を有している。各係止部５４０が放熱部材４００の係止部４４０と係合することにより、カバー５００は、放熱部材４００に対して取り付けられている。
【００４６】
電源部６００は、複数のＬＥＤモジュール３００に電源供給するためのものであり、１対の側板４１０および天板４２０に囲まれた空間に収容されている。電源部６００は、ケース６１０、電源基板６２０、端子６３０、および複数の電子部品６４０を備えている。ケース６１０は、たとえば白色樹脂製であり、全体として直方体形状とされている。図１１および図１２に示すように、電源基板６２０は、長矩形状であり、端子６３０および複数の電子部品６４０が実装されている。端子６３０は、電源部６００に通電するための電線（図示略）が接続される。複数の電子部品６４０は、たとえば交流電力を複数のＬＥＤモジュール３００（ＬＥＤチップ３０３）に適した直流電力に変換する機能を実現するためのものである。図１１に示すように、複数の電子部品６４０は、電源基板６２０の一方の面に実装されたコンデンサ６４１、トランス６４２、コイル６４３およびバリスタ素子６４４を含む。また、図１２に示すように、複数の電子部品６４０は、電源基板６２０の他方の面に実装されたダイオード６４５、トランジスタ６４６、ＩＣ６４７、抵抗器６４８を含む。ＩＣ６４７は、図外のコントローラによって位相制御された交流電力が入力されると、それに応じた出力の直流電力に変換するためのものであり、ＬＥＤチップ３０３に投入する電力の調節機能を担っている。
【００４７】
電源部６００は、梁部４３０に対してボルト６６０によって取り付けられている。梁部４３０には、ボルト６６０に螺合するねじ穴４３２が形成されている。ねじ穴４３２を形成するために梁部４３０に対して穴あけ加工を施すときには、ドリル先端を穴加工用溝４３１にあてる。電源部６００からは、アース電線６５０が延びている。アース電線６５０は、その一端が電源部６００の内部、または端子６３０に接続されており、他端が放熱部材４００に接続されている。アース電線６５０の一部は、梁部４３０、天板４２０、１対の側板４１０、および電源部６００に囲まれた空間に収容されている。
【００４８】
キャップ７００は、放熱部材４００のＸ方向両端に取り付けられており、ＬＥＤ照明ユニット１０１の内部を隠すためのものである。図１３は、キャップ７００の具体的な構成の一例を示している。同図に示すキャップ７００は、主板７０１、係止片７１０、および１対の嵌合片７２０を有しており、たとえば樹脂からなる。主板７０１は、Ｘ方向視形状が放熱部材４００およびカバー５００を合わせた形状とされており、電源部６００の端子６３０を臨ませる切欠きが形成されている。係止片７１０は、主板７０１のほぼ中央からＸ方向に延出しており、その先端側部分に係止突起７１１が形成されている。係止突起７１１は、わずかにＸ方向に突出している。１対の嵌合片７２０は、互いにＹ方向に離間配置されており、Ｘ方向に平行に延出している。図１４に示すように、放熱部材４００の梁部４３０には、係止穴４３３が形成されている。係止穴４３３は、穴加工用溝４３１を利用して形成されている。キャップ７００を取り付けるときには、１対の嵌合片７２０を１対の側板４１０の内側に嵌め込みながら、係止片７１０の係止突起７１１を係止穴４３３に係止させる。
【００４９】
図１５は、複数のＬＥＤ照明ユニット１０１を備えたＬＥＤ照明装置の一例を示している。本実施形態のＬＥＤ照明装置１１１は、３つのＬＥＤ照明ユニット１０１がＸ方向に直列配置された構成である。３つのＬＥＤ照明ユニット１０１の電源部６００どうしは、たとえば交流用の２本の電線とアース用の電線の計３本の電線（いずれも図示略）によって連結されている。各電線は、電源部６００の端子６３０に接続されており、放熱部材４００の内側に収容されている。
【００５０】
図１６は、複数のＬＥＤ照明ユニット１０１を備えたＬＥＤ照明システムの一例を示している。本実施形態のＬＥＤ照明システム１２１は、複数のＬＥＤ照明ユニット１０１を備えており、さらにその構成要素に、天井面８０１、壁面８０２、および設置溝８０４を具備している。設置溝８０４は、天井面８０１のＹ方向端縁と壁面８０２との間に位置しており、Ｘ方向に長く延びる断面矩形状の溝である。複数のＬＥＤ照明ユニット１０１は、出射天面５２０がＺ方向下方（床面８０３の方向）を向く姿勢で、Ｘ方向に直列配置されている。出射天面５２０は、天井面８０１と面一とすることが好ましい。
【００５１】
次に、ＬＥＤ照明ユニット１０１、ＬＥＤ照明装置１１１、およびＬＥＤ照明システム１２１の作用について説明する。
【００５２】
本実施形態によれば、ＬＥＤ照明ユニット１０１は、１対の外側面４１１に挟まれたＸ方向に長く延びるスリムな外形である。このため、ＬＥＤ照明装置１１１やＬＥＤ照明システム１２１を構成した場合に、ＬＥＤ照明ユニット１０１が占める部分は、全体としてＸ方向に細長く延びる態様となる。これにより、ＬＥＤ照明ユニット１０１、ＬＥＤ照明装置１１１、およびＬＥＤ照明システム１２１を点灯させたときに線状に延びた発光部分がそのほとんどを占めることとなり、見栄えが良い。
【００５３】
Ｘ方向視において矩形状であることにより、設置溝８０４などへの設置に適している。コの字状の放熱部材４００は、ＬＥＤ照明ユニット１０１の外観を矩形状とするのに適しているとともに、放熱に寄与する面積を増大させることができる。基板用凹部４２１により、基板２００を所望の位置に確実に取り付けることができる。
【００５４】
電源部６００を放熱部材４００の内方に収容することにより、ＬＥＤ照明ユニット１０１の外観に不当な凹凸を生じさせることを回避することができる。梁部４３０、天板４２０、１対の側板４１０、および電源部６００に囲まれた空間を生じさせることは、たとえばアース電線６５０を他の構成要素と干渉することなく配置するのに有利である。穴加工用溝４３１は、梁部４３０のＸ方向における所望の位置にたとえばねじ穴４３２や係止穴４３３を形成するのに適している。
【００５５】
外溝４１２を利用することにより、ＬＥＤ照明ユニット１０１を容易かつ確実に取り付けることができる。内溝４１３を利用することにより、ＬＥＤ照明ユニット１０１を容易かつ確実に取り付けることができるとともに、ＬＥＤ照明ユニット１０１の内部を隠すための化粧板を所望の位置に設けることができる。
【００５６】
カバー５００に外側面４１１と面一である出射側面５１０を設けること、および出射天面５２０を平面とすることにより、ＬＥＤ照明ユニット１０１の外観をスマートな形状とすることができる。
【００５７】
キャップ７００に係止片７１０および１対の嵌合片７２０を設けることにより、いわゆるワンタッチでキャップ７００を放熱部材４００に対して確実に取り付けることができる。
【００５８】
図１６に示すように、ＬＥＤ照明システム１２１においては、複数のＬＥＤ照明ユニット１０１からの光は、出射天面５２０が平面状であることと、カバー５００が光を拡散させることとにより、壁面８０２および床面８０３に広く照射される。これは、ＬＥＤ照明システム１２１が設置された部屋全体をより均一に広く照らすのに適している。
【００５９】
図１７〜図２７は、本発明の他の実施形態を示している。なお、これらの図において、上記実施形態と同一または類似の要素には、上記実施形態と同一の符号を付している。
【００６０】
図１７〜図２３は、本発明の第２実施形態に基づくＬＥＤ照明ユニットを示している。本実施形態のＬＥＤ照明ユニット１０２は、カバー５００の構成が上述した実施形態と異なっている。
【００６１】
本実施形態においては、カバー５００は、レンズ部５３０を有しており、上述した出射側面５１０は設けられていない。レンズ部５３０は、出射天面５２０からＺ方向に膨出しており、Ｘ方向に長く延びている。レンズ部５３０は、カバー５００のＹ方向中央に配置されており、Ｙ方向において複数のＬＥＤモジュール３００と重なっている。カバー５００のうち複数のＬＥＤモジュール３００と対向する面は、比較的ＬＥＤモジュール３００に近接した位置に設けられた平面とされている。カバー５００は、上述した実施形態と同様に、ＬＥＤモジュール３００からの光を拡散させつつ透過させる材質からなる。キャップ７００は、カバー５００のレンズ部５３０と重なる突起部分を有する形状とされている。
【００６２】
図２４は、複数のＬＥＤ照明ユニット１０２を備えたＬＥＤ照明装置の一例を示している。本実施形態のＬＥＤ照明装置１１２は、３つのＬＥＤ照明ユニット１０２がＸ方向に直列配置された構成である。３つのＬＥＤ照明ユニット１０２の電源部６００どうしは、たとえば交流用の２本の電線とアース用の電線の計３本の電線（いずれも図示略）によって連結されている。各電線は、電源部６００の端子６３０に接続されており、放熱部材４００の内側に収容されている。
【００６３】
図２５は、複数のＬＥＤ照明ユニット１０２を備えたＬＥＤ照明システムの一例を示している。本実施形態のＬＥＤ照明システム１２２は、複数のＬＥＤ照明ユニット１０２を備えており、さらにその構成要素に、天井面８０１、壁面８０２、設置溝８０４、およびひさし部８０５を具備している。設置溝８０４は、天井面８０１のＹ方向端縁と壁面８０２との間に位置しており、Ｘ方向に長く延びる断面矩形状の溝である。ひさし部８０５は、天井面８０１のＹ方向端縁からＹ方向に延びており、設置溝８０４の全長にわたって設置溝８０４のＹ方向右側部分を覆っている。複数のＬＥＤ照明ユニット１０２は、レンズ部５３０がＺ方向下方（床面８０３の方向）を向く姿勢で、Ｘ方向に直列配置されている。
【００６４】
このような実施形態によっても、ＬＥＤ照明ユニット１０２、ＬＥＤ照明装置１１２、およびＬＥＤ照明システム１２２を点灯させたときに線状に延びた発光部分がそのほとんどを占めることとなり、見栄えが良い。
【００６５】
レンズ部５３０を備えることにより、複数のＬＥＤモジュール３００からの光は、Ｙ方向において集光される。この集光は、カバー５００が光を拡散させる度合いに応じてやわらげられる。これにより、図２５に示すように、ＬＥＤ照明システム１２２は、壁面８０２のＺ方向上側部分（図中ハッチング部分）が明るく照らされる、間接照明として機能する。ひさし部８０５により、ＬＥＤ照明ユニット１０２からの光が床面８０３などに直接到達してしまうことを回避することができる。
【００６６】
図２６は、本発明の第３実施形態に基づくＬＥＤ照明ユニットを示している。本実施形態のＬＥＤ照明ユニット１０３は、カバー５００の構成が上述した実施形態と異なっている。本実施形態においては、カバー５００は、透明な材質からなる。これ以外の構成については、上述したＬＥＤ照明ユニット１０２と同様である。
【００６７】
図２７は、複数のＬＥＤ照明ユニット１０３を備えたＬＥＤ照明システムの一例を示している。本実施形態のＬＥＤ照明システム１２３は、複数のＬＥＤ照明ユニット１０３を備えており、さらにその構成要素に、天井面８０１、壁面８０２、設置溝８０４、およびひさし部８０５を具備している。設置溝８０４は、天井面８０１のＹ方向端縁と壁面８０２との間に位置しており、Ｘ方向に長く延びる断面矩形状の溝である。ひさし部８０５は、天井面８０１のＹ方向端縁からＹ方向に延びており、設置溝８０４の全長にわたって設置溝８０４のＹ方向右側部分を覆っている。複数のＬＥＤ照明ユニット１０３は、レンズ部５３０がＺ方向下方（床面８０３の方向）を向く姿勢で、Ｘ方向に直列配置されている。
【００６８】
このような実施形態によっても、ＬＥＤ照明ユニット１０３およびＬＥＤ照明システム１２３を点灯させたときに線状に延びた発光部分がそのほとんどを占めることとなり、見栄えが良い。
【００６９】
レンズ部５３０を透明な材質によって形成することにより、複数のＬＥＤモジュール３００からの光をＹ方向において十分に集光させることが可能である。これにより、図２７に示すように、ＬＥＤ照明システム１２３は、壁面８０２のＺ方向上側部分から下側部分に至る領域（図中ハッチング部分）が明るく照らされる。したがって、ＬＥＤ照明システム１２３は、壁面８０２全体が明るく光る間接照明として機能する。
【００７０】
本発明に係るＬＥＤ照明ユニット、ＬＥＤ照明装置およびＬＥＤ照明システムは、上述した実施形態に限定されるものではない。本発明に係るＬＥＤ照明ユニット、ＬＥＤ照明装置およびＬＥＤ照明システムの各部の具体的な構成は、種々に設計変更自在である。
【００７１】
基板２００のＸ方向長さおよび複数のＬＥＤモジュール３００の個数に応じて、１つのＬＥＤ照明ユニット１０１，１０２，１０３が複数の電源部６００を備える構成としてもよい。
【符号の説明】
【００７２】
Ｘ      （第１）方向
Ｙ      （第２）方向
Ｚ      （第３）方向
１０１，１０２，１０３  ＬＥＤ照明ユニット
１１１，１１２  ＬＥＤ照明装置
１２１，１２２，１２３  ＬＥＤ照明システム
２００  基板
２０１  搭載面
３００  ＬＥＤモジュール
３０１  リード
３０２  実装端子
３０３  ＬＥＤチップ
３０４  封止樹脂
３０５  リフレクタ
４００  放熱部材
４１０  側板
４１１  外側面
４１２  外溝
４１３  内溝
４２０  天板
４２１  基板用凹部
４３０  梁部
４３１  穴加工用溝
４３２  ねじ穴
４３３  係止穴
４４０  係止部
５００  カバー
５１０  出射側面
５２０  出射天面
５３０  レンズ部
５４０  係止部
６００  電源部
６１０  ケース
６２０  電源基板
６３０  端子
６４０  電子部品
６４１  コンデンサ
６４２  トランス
６４３  コイル
６４４  バリスタ素子
６４５  ダイオード
６４６  トランジスタ
６４７  ＩＣ
６４８  抵抗器
６５０  アース電線
６６０  ボルト
７００  キャップ
７０１  主板
７１０  係止片
７１１  係止突起
７２０  嵌合片
８０１  天井面
８０２  壁面
８０３  床面
８０４  設置溝
８０５  ひさし部
【図１】
0005718071.tif 000002
【図２】
0005718071.tif 000003
【図３】
0005718071.tif 000004
【図４】
0005718071.tif 000005
【図５】
0005718071.tif 000006
【図６】
0005718071.tif 000007
【図７】
0005718071.tif 000008
【図８】
0005718071.tif 000009
【図９】
0005718071.tif 000010
【図１０】
0005718071.tif 000011
【図１１】
0005718071.tif 000012
【図１２】
0005718071.tif 000013
【図１３】
0005718071.tif 000014
【図１４】
0005718071.tif 000015
【図１５】
0005718071.tif 000016
【図１６】
0005718071.tif 000017
【図１７】
0005718071.tif 000018
【図１８】
0005718071.tif 000019
【図１９】
0005718071.tif 000020
【図２０】
0005718071.tif 000021
【図２１】
0005718071.tif 000022
【図２２】
0005718071.tif 000023
【図２３】
0005718071.tif 000024
【図２４】
0005718071.tif 000025
【図２５】
0005718071.tif 000026
【図２６】
0005718071.tif 000027
【図２７】
0005718071.tif 000028
【図２８】
0005718071.tif 000029